(57)【要約】【課題】所定の周波数帯域の全域の周波数を持ち、しかも、当該周波数帯域外の周波数を持たない干渉信号を生成できる通信抑止装置を提供する。【解決手段】ＰＬＬコントローラ２の位相比較に用いる基準信号は固定的に用いる。信号加算回路８において、ＦＭ変調用信号Ｓ６とＳ７とを加算して信号Ｓ８を生成し、これを信号加算回路９に出力する。ＶＣＯ１０から出力された干渉信号Ｓ１０は、ＲＦアンプ１１、ＲＦローパスフィルタ１２およびアンテナ１３を介して劇場などの携帯電話の使用が禁止される領域に送信される。【選択図】      図１
2004153641.tif 000002
【特許請求の範囲】
【請求項１】
抑止する信号の周波数帯域に応じて規定された基準信号とフィードバック信号との位相差に応じた電圧レベルを持つ比較信号を生成する第１の信号生成手段と、
所定の周期で周波数が遷移する周波数変調用信号を生成する第２の信号生成手段と、
前記第１の信号生成手段が生成した前記比較信号と前記第２の信号生成手段が生成した前記周波数変調用信号とを加算し、当該加算によって得られた加算信号の電圧レベルに応じた発振周波数の干渉信号を生成し、当該生成した干渉信号を前記フィードバック信号として前記第１の信号生成手段に出力する第３の信号生成手段と、
を有し、
前記第１の信号生成手段は、前記基準信号を固定して用い、
前記第２の信号生成手段は、前記抑止する信号の周波数帯域で前記干渉信号の周波数を遷移させるように前記周波数変調用信号を生成する
通信抑止装置。
【請求項２】
前記第１の信号生成手段が生成した前記比較信号から交流成分を除去するフィルタ手段
をさらに有し、
前記第３の信号生成手段は、前記フィルタ手段で交流成分が除去された前記比較信号と、前記第２の信号生成手段が生成した前記周波数変調信号とを加算する
請求項１に記載の通信抑止装置。
【請求項３】
前記第２の信号生成手段は、複数の異なる周波数変調用信号を加算して前記周波数変調用信号を生成する
請求項１または請求項２に記載の通信抑止装置。
【請求項４】
前記第３の信号生成手段が生成した前記干渉信号を送信する送信手段
をさらに有する請求項１〜３のいずれかに記載の通信抑止装置。
【発明の詳細な説明】
【０００１】
【発明の属する技術分野】
本発明は、携帯電話などによる通信を抑制する干渉信号を生成する通信抑止装置に関する。
【０００２】
【従来の技術】
例えば、劇場内など携帯電話の使用を規制した場合がある。
このような場所には、携帯電話の基地局から送信される信号（電波）に対して干渉信号を送信して携帯電話による通信を抑止する通信抑止装置が設けられている。
このような通信抑止装置としては、例えば、特許文献１に開示された携帯電話着信抑止装置が知られている。
当該特許文献１に示される携帯着信抑止装置は、ＰＬＬ回路を構成するＶＣＯからフィードバックした干渉信号と、基準信号との位相を比較してその差分を示す比較信号を生成している。
この場合に、当該携帯着信抑止装置は、上記基地局から送信される信号が持つ周波数帯域の全域を順にカバーするように、上記基準信号の周波数を切り換えている。
【０００３】
【特許文献１】
特開２０００−３３２８９０号公報
【０００４】
【発明が解決しようとする課題】
しかしながら、上記特許文献１に開示された携帯電話着信抑止装置では、ＰＬＬ回路の位相比較において、上述したように、上記基準信号の周波数を切り換えるため、ＰＬＬ回路の動作が不安定になり、上記基地局から送信される信号が持つ周波数帯域外の周波数を持つ干渉信号が生成される場合がある。その場合に、携帯電話以外の機器の動作に悪影響を及ぼすことがあるという問題がある。
【０００５】
本発明はかかる事情に鑑みてなされたものであり、その目的は、所定の周波数帯域の全域の周波数を持ち、しかも、当該周波数帯域外の周波数を持たない干渉信号を生成できる通信抑止装置を提供することを目的とする。
【０００６】
【課題を解決するための手段】
上記の目的を達成するため、本発明の通信抑止装置は、抑止する信号の周波数帯域に応じて規定された基準信号とフィードバック信号との位相差に応じた電圧レベルを持つ比較信号を生成する第１の信号生成手段と、所定の周期で周波数が遷移する周波数変調用信号を生成する第２の信号生成手段と、前記第１の信号生成手段が生成した前記比較信号と前記第２の信号生成手段が生成した前記周波数変調用信号とを加算し、当該加算によって得られた加算信号の電圧レベルに応じた発振周波数の干渉信号を生成し、当該生成した干渉信号を前記フィードバック信号として前記第１の信号生成手段に出力する第３の信号生成手段と、を有し、前記第１の信号生成手段は、前記基準信号を固定して用い、前記第２の信号生成手段は、前記抑止する信号の周波数帯域で前記干渉信号の周波数を遷移させるように前記周波数変調用信号を生成する。
【０００７】
本発明の通信抑止装置の作用は以下のようになる。
第１の信号生成手段において、抑止する信号の周波数帯域に応じて規定された基準信号とフィードバック信号との位相差に応じた電圧レベルを持つ比較信号が生成される。
また、第２の信号生成手段において、所定の周期で周波数が遷移する周波数変調用信号が生成される。
そして、第３の信号生成手段において、前記第１の信号生成手段が生成した前記比較信号と前記第２の信号生成手段が生成した前記周波数変調用信号とが加算され、当該加算によって得られた加算信号の電圧レベルに応じた発振周波数の干渉信号が生成され、当該生成した干渉信号が前記フィードバック信号として前記第１の信号生成手段に出力される。
上記作用において、前記第１の信号生成手段は、前記基準信号を固定して用い、前記第２の信号生成手段は、前記抑止する信号の周波数帯域で前記干渉信号の周波数を遷移させるように前記周波数変調用信号を生成する。
【０００８】
また、本発明の通信抑止装置は、好ましくは、前記第１の信号生成手段が生成した前記比較信号から交流成分を除去するフィルタ手段をさらに有し、前記第３の信号生成手段は、前記フィルタ手段で交流成分が除去された前記比較信号と、前記第２の信号生成手段が生成した前記周波数変調信号とを加算する。
【０００９】
また、本発明の通信抑止装置は、好ましくは、前記第２の信号生成手段は、複数の異なる周波数変調用信号を加算して前記周波数変調用信号を生成する。
【００１０】
また、本発明の通信抑止装置は、好ましくは、前記第３の信号生成手段が生成した前記干渉信号を送信する送信手段をさらに有する。
【００１１】
【発明の実施の形態】
以下、本発明の実施形態に係わる通信抑止装置について説明する。
図１は、本実施形態の通信抑止装置１の構成図である。
通信抑止装置１は、例えば、劇場などの携帯電話の使用を禁止したい場所に設けられ、所定の事業者が提供する携帯電話通信サービスによって所定の基地局から送信される信号に対しての干渉信号を生成および送信し、携帯電話による無線通信を抑止するものである。
【００１２】
図１に示すように、通信抑止装置１は、例えば、ＰＬＬ（Ｐｈａｓｅ  Ｌｏｃｋｅｄ  Ｌｏｏｐ）コントローラ２、ループフィルタ３、制御回路５、ＦＭ（Ｆｒｅｑｕｅｎｃｙ  Ｍｏｄｕｌａｔｉｏｎ）変調用発振回路６、ＦＭ変調用発振回路７、信号加算回路８、信号加算回路９、ＶＣＯ（Ｖｏｌｔａｇｅ  Ｃｏｎｔｒｏｌｌｅｄ  Ｏｓｃｉｌｌａｔｏｒ）  １０、ＲＦ（Ｒａｄｉｏ  Ｆｒｅｑｕｅｎｃｙ）  アンプ１１、ＲＦローパスフィルタ１２およびアンテナ１３を有する。
ここで、ＰＬＬコントローラ２、ループフィルタ３、信号加算回路９およびＶＣＯ１０によってＰＬＬ回路が構成される。
【００１３】
図１において、ＰＬＬコントローラ２が本発明の第１の信号生成手段に対応し、ＦＭ変調用発振回路６および７が本発明の第２の信号生成手段に対応し、信号加算回路９およびＶＣＯ１０が本発明の第３の信号生成手段に対応し、ループフィルタ３が本発明のフィルタ手段に対応し、ＲＦアンプ１１およびＲＦローパスフィルタ１２が本発明の送信手段に対応している。
【００１４】
ＰＬＬコントローラ２は、例えば、図示しない水晶発振器からの信号を分周して基準信号を生成する分周回路と、位相比較回路とを有する。
ＰＬＬコントローラ２は、制御回路５からの制御信号Ｓ５ａに基づいて、上記基準信号として、上記基地局から送信される信号が持つ周波数帯域内の所定の周波数（例えば、当該周波数帯域の中心付近の周波数）の信号を固定的に用いる。
ＰＬＬコントローラ２は、上記基準信号と当該基準信号とＶＣＯ１０からフィードバックされた干渉信号Ｓ１０（本発明のフィードバック信号）との位相の差分を検出し（比較し）、当該検出した差分に応じた電圧レベルを持つ比較信号Ｓ２をループフィルタ３に出力する。
【００１５】
ループフィルタ３は、ＰＬＬコントローラ２から入力した比較信号Ｓ２の交流成分を除去して直流成分の比較信号Ｓ３を生成し、これを信号加算回路９に出力する。
【００１６】
制御回路５は、入力した制御プログラム４を実行して、以下に示す処理を行う。
制御回路５は、上記基地局から送信される信号が持つ周波数帯域内の所定の周波数の信号を上記基準信号として固定的に用いることを示す制御信号Ｓ５ａを生成し、これをＰＬＬコントローラ２に出力する。
【００１７】
また、制御回路５は、上記基地局から送信される信号が持つ周波数帯域に対応した周波数帯域を上記干渉信号Ｓ１０に持たせるためのＦＭ変調用信号Ｓ６，Ｓ７を生成するために、制御信号Ｓ５ｂをＦＭ変調用発振回路６に出力し、制御信号Ｓ５ｃをＦＭ変調用発振回路７に出力する。
【００１８】
ＦＭ変調用発振回路６は、制御信号Ｓ５ｂに基づいて、動作オン／オフ状態になり、所定の周波数帯域内で所定の周期で周波数を遷移するＦＭ変調用信号Ｓ６を生成し、これを信号加算回路８に出力する。
ＦＭ変調用発振回路７は、制御信号Ｓ５ｃに基づいて、動作オン／オフ状態になり、所定の周波数帯域内で所定の周期で周波数を遷移する第２の周波数帯域を持つＦＭ変調用信号Ｓ７を生成し、これを信号加算回路８に出力する。
ＦＭ変調用信号Ｓ７は、例えば、上記ＦＭ変調用信号Ｓ６より低い周波数帯域を有している。
第１の周波数帯域は上記基地局から送信される１チャンネルあたりの周波数帯域幅で変調するように決定され、第２の周波数帯域は周期５ｍｓで偏移が上記基地局から送信される信号の周波数帯域の全域となるように決定される。
【００１９】
信号加算回路８は、ＦＭ変調用信号Ｓ６とＳ７とを加算してＦＭ変調用信号ＳＳ８を生成し、これを信号加算回路９に出力する。
【００２０】
信号加算回路９は、ループフィルタ３からの比較信号Ｓ３と、信号加算回路８からのＦＭ変調用信号Ｓ８とを加算して加算信号Ｓ９を生成し、これをＶＣＯ１０に出力する。
【００２１】
ＶＣＯ１０は、加算信号Ｓ９の電圧レベルに応じた発振周波数の周波数を持つ干渉信号Ｓ１０を生成し、これをＲＦアンプ１１に出力する。
【００２２】
ＲＦアンプ１１は、例えば、干渉信号Ｓ１０の周波数が安定した（ＰＬＬ回路がロック状態になった）と判断すると動作状態になり、干渉信号Ｓ１０を増幅した干渉信号Ｓ１１をＲＦローパスフィルタ１２に出力する。
【００２３】
ＲＦローパスフィルタ１２は、干渉信号Ｓ１１の周波数高域成分を除去して干渉信号Ｓ１２を生成する。
干渉信号Ｓ１２は、アンテナ１３から送信される。
【００２４】
以下、図１に示す通信抑止装置１の動作例を説明する。
【００２５】
ＦＭ変調用発振回路６が、制御回路５からの制御信号Ｓ５ｂに基づいて、所定の周波数帯域内で所定の周期で周波数を遷移するＦＭ変調用信号Ｓ６を生成し、これを信号加算回路８に出力する。
また、それと並行して、ＦＭ変調用発振回路７が、制御回路５からの制御信号Ｓ５ｃに基づいて、所定の周波数帯域内で所定の周期で周波数を遷移する第２の周波数帯域を持つＦＭ変調用信号Ｓ７を生成し、これを信号加算回路８に出力する。
そして、信号加算回路８が、ＦＭ変調用信号Ｓ６とＳ７とを加算してＦＭ変調用信号Ｓ８を生成し、これを信号加算回路９に出力する。
【００２６】
また、上述した動作と並行して以下の動作が行われる。
上記ＰＬＬ回路において、ＶＣＯ１０から出力された干渉信号Ｓ１０が、ＰＬＬコントローラ２にフィードバックされる。
そして、ＰＬＬコントローラ２において、制御回路５からの制御信号Ｓ５ａに基づいて、上記基地局から送信される信号が持つ周波数帯域内の所定の周波数の基準信号を固定的に用いて、当該基準信号と干渉信号Ｓ１０との位相の差分が検出され、当該検出された差分に応じた電圧レベルを持つ比較信号Ｓ２がループフィルタ３に出力される。
そして、ループフィルタ３において、ＰＬＬコントローラ２から入力した比較信号Ｓ２の交流成分が除去されて直流成分の比較信号Ｓ３が生成され、これが信号加算回路９に出力される。
そして、信号加算回路９において、ループフィルタ３からの比較信号Ｓ３と、信号加算回路８からのＦＭ変調用信号Ｓ８とが加算されて加算信号Ｓ９が生成され、これがＶＣＯ１０に出力される。
そして、ＶＣＯ１０において、加算信号Ｓ９の電圧レベルに応じた発振周波数の周波数を持つ干渉信号Ｓ１０が生成され、これがＰＬＬコントローラ２およびＲＦアンプ１１に出力される。
【００２７】
そして、ＲＦアンプ１１が、例えば、干渉信号Ｓ１０の周波数が安定した（ＰＬＬ回路がロック状態になった）と判断すると動作状態になり、干渉信号Ｓ１０を増幅した干渉信号Ｓ１１をＲＦローパスフィルタ１２に出力する。
【００２８】
そして、ＲＦローパスフィルタ１２において、干渉信号Ｓ１１の周波数高域成分が除去されて干渉信号Ｓ１２が生成され、これがアンテナ１３から送信される。
【００２９】
以上説明したように、通信抑止装置１によれば、ＰＬＬコントローラ２で基準信号を固定的に用いて位相比較を行うため、上記ＰＬＬ回路の動作を安定させることができる。
また、通信抑止装置１によれば、信号加算回路９において、ループフィルタ３からの比較信号Ｓ３にＦＭ変調用信号Ｓ８を加算するため、干渉信号に所定の周波数帯域を持たせることができる。
そのため、通信抑止装置１によれば、上記基準信号の周波数、並びに上記ＦＭ変調用信号Ｓ９の周波数帯域を、上記基地局から送信される信号が持つ周波数帯域に適合させて決めることで、上記基地局から送信される信号が持つ周波数帯域の全域の周波数を持ち、しかも、当該周波数帯域外の周波数を持たない干渉信号を生成できる。
【００３０】
また、通信抑止装置１によれば、ＦＭ変調用信号Ｓ６とＳ７とを加算してＦＭ変調用信号Ｓ８を生成するため、単数のＦＭ変調用信号を用いた場合に比べて、早いスキャン速度を得ることができ、抑止効果を高めることができる。ここで、スキャン速度とは、干渉信号の周波数が、上記基地局から送信される信号が持つ周波数帯域の全域をカバーするのに要する時間をいう。
【００３１】
【発明の効果】
以上説明したように、本発明によれば、所定の周波数帯域の全域の周波数を持ち、しかも、当該周波数帯域外の周波数を持たない干渉信号を生成できる通信抑止装置を提供することができる。
【図面の簡単な説明】
【図１】図１は、本発明の実施形態の通信抑止装置の構成図である。
【符号の説明】
１…通信抑止装置、２…ＰＬＬコントローラ２、３…ループフィルタ、４…制御プログラム、５…制御回路、６…ＦＭ変調用発振回路、７…ＦＭ変調用発振回路、８…信号加算回路、９…信号加算回路、１０…ＶＣＯ、１１…ＲＦアンプ、１２…ＲＦローパスフィルタ、１３…アンテナ
【図１】
2004153641.tif 000003